(57)【要約】【課題】  ＡＤＦによる搬送に起因する不具合の発生を未然に防止する。【解決手段】  読取設定が所定の条件を満たす場合に、ＡＤＦの作動を禁止する。これにより、ＡＤＦにより原稿を搬送する際に原稿が損傷してしまう、又は自動読取窓にて原稿を正確に読み取りことができない、といった不具合が発生してしまうことを未然に防止することが可能となる。【選択図】  図５
2008187473.tif 000002
【特許請求の範囲】
【請求項１】
原稿が載置される載置部と、
原稿に記載された画像を読み取る読取部と、
前記載置部に載置された原稿を前記読取部に搬送する搬送部と、
少なくとも画像を読み取る際の読取設定が所定の条件を満たす場合に、前記搬送部の作動を禁止する禁止手段と
を備えることを特徴とする画像読取装置。
【請求項２】
前記禁止手段による前記搬送部の作動禁止状態を解除する解除手段を備えることを特徴とする請求項１に記載の画像読取装置。
【請求項３】
前記禁止手段によって前記搬送部の作動が禁止された場合に、その旨を使用者に対して報知する報知手段を備えることを特徴とする請求項１又は２に記載の画像読取装置。
【請求項４】
前記禁止手段の機能を有効とするか否かを選択するための選択手段を備えることを特徴とする請求項１ないし３のいずれか１つに記載の画像読取装置。
【請求項５】
前記禁止手段は、前記読取設定として、読み取られた画像の完全性及び見読性が要求される電子文書モードが設定された場合に、前記搬送部の作動を禁止することを特徴とする請求項１ないし４のいずれか１つに記載の画像読取装置。
【請求項６】
前記禁止手段は、前記読取設定として、カラーにて画像を読み取るカラー読取モードが設定された場合に、前記搬送部の作動を禁止することを特徴とする請求項１ないし５のいずれか１つに記載の画像読取装置。
【請求項７】
前記禁止手段は、前記読取設定として、所定解像度以上の読取解像度が設定された場合に、前記搬送部の作動を禁止することを特徴とする請求項１ないし６のいずれか１つに記載の画像読取装置。
【請求項８】
前記禁止手段は、前記読取設定として、所定の原稿サイズが設定された場合に、前記搬送部の作動を禁止することを特徴とする請求項１ないし７いずれか１つに記載の画像読取装置。
【請求項９】
前記載置部に載置された原稿の大きさを検出する検出手段を備えており、
前記禁止手段は、前記検出手段により検出された原稿の大きさが前記所定の原稿サイズである場合に、前記搬送部の作動を禁止することを特徴とする請求項８に記載の画像読取装置。
【請求項１０】
前記読取設定が入力される入力手段を備えており、
前記禁止手段は、前記入力手段に入力された読取設定が所定の条件を満たす場合に、前記搬送部の作動を禁止することを特徴とする請求項１ないし９のいずれか１つに記載の画像読取装置。
【発明の詳細な説明】
【技術分野】
【０００１】
本発明は、原稿を読取部に搬送する搬送部を有する画像読取装置に関するものである。
【背景技術】
【０００２】
オートドキュメントフィーダ（以下、ＡＤＦと記す。）とは、周知のごとく、原稿トレイ等の載置部に載置された原稿を読取部に搬送する原稿送り機構である。
しかし、ＡＤＦにて読取部に搬送されてきた原稿は、読取部に接触しながら移動するので、読取部が原稿に対して相対移動する、いわゆるフラットベッドタイプの読取方式に比べ、原稿に傷や汚れなどが付き損傷し易い、という問題がある。
【０００３】
これに対して、例えば特許文献１に記載の発明では、原稿にパンチ孔が形成されているか否かを検出する孔検知センサを設け、この孔検知センサにより原稿に孔が形成されていると判定された場合には、ＡＤＦの作動を禁止するようにしている。
【０００４】
つまり、原稿にパンチ孔が形成されていると、原稿の送りバランスが崩れて易いため、搬送時に原稿が詰まってしまう、又はパンチ孔部分が破損してしまう等の搬送不良が発生し易い。そこで、特許文献１に記載の発明では、原稿に孔が形成されている場合には、ＡＤＦの作動を禁止するようにしている。
【特許文献１】実開平５−８５７４０号公報
【発明の開示】
【発明が解決しようとする課題】
【０００５】
しかし、ＡＤＦによる搬送時に発生する不具合は、特許文献１に記載された不具合及び原因のみならず、他の原因に起因する不具合も発生し得る。
本発明は、上記点に鑑み、ＡＤＦによる搬送に起因する不具合の発生を未然に防止することを目的とする。
【課題を解決するための手段】
【０００６】
ところで、上述したように、ＡＤＦにて読取部に搬送されてきた原稿は、読取部に接触しながら移動するので、ＡＤＦにより原稿を搬送する際に原稿が損傷し易く、画像読取部にて原稿を正確に読み取りことができないおそれが高い。
【０００７】
そこで、請求項１に記載の発明では、原稿が載置される載置部と、原稿に記載された画像を読み取る読取部と、載置部に載置された原稿を読取部に搬送する搬送部と、少なくとも画像を読み取る際の読取設定が所定の条件を満たす場合に、搬送部の作動を禁止する機能を有する禁止手段とを備えることを特徴とする。
【０００８】
これにより、請求項１に記載の発明では、読取設定が所定の条件を満たす場合に、搬送部の作動が禁止されるので、ＡＤＦにより原稿を搬送する際に原稿が損傷してしまう、又は画像読取部にて原稿を正確に読み取りことができない、といった不具合が発生してしまうことを未然に防止することが可能となる。
【０００９】
また、請求項２に記載の発明では、禁止手段による搬送部の作動禁止状態を解除する解除手段を備えるので、ＡＤＦの作動が禁止されている場合であっても、ＡＤＦを用いて原稿の読み取りを行うことができる。
【００１０】
請求項３に記載の発明では、禁止手段によって搬送部の作動が禁止された場合に、その旨を使用者に対して報知する報知手段を備えるので、ＡＤＦに不具合が発生したといった誤認識を使用者が抱いてしまうことを未然に防止して、画像読取装置（ＡＤＦ）に対する使用者の不信感を払拭することができる。
【００１１】
請求項４に記載の発明では、禁止手段の機能を有効とするか否かを選択するための選択手段を備えるので、使用者は、自らの意志により、禁止手段の機能を有効とするか否かを選択することができる。
【００１２】
ところで、画像読取装置は、紙等の原稿に記載されている画像（記載情報）を電子情報化するための電子機器であるが、情報が電子化されると、紙等の原稿に情報が記載されている場合に比べて、情報の内容を容易に変更（改竄）することができる。このため、紙等の原稿に記載されている情報の方は、紙等の原稿に記載されている情報と電子化された情報と比べて信頼性が高いので、一般的に、電子化された情報は、原本と見なされない場合が多い。
【００１３】
しかし、情報を紙等の原稿にて保存すると、情報保存のために膨大なスペースを必要とするのに対して、紙等の原稿に記載されている情報を電子情報化すれば、保存のためのスペースを飛躍的に縮小させることができる。
【００１４】
そこで、文書・帳票類の電磁化（電子的・磁気的）を、一部の例外を除いて一括して認める法律が２００４年１１月１９日に成立し、翌年の４月１日に施行された。そして、この法律では、電子化された情報が原本と見なされるための条件として、読み取られた画像の「完全性」及び「見読性」が要求されている。そして、読み取られた画像の完全性を満たすためには、その前提として、画像読取部にて原稿を正確に読み取る必要がある。因みに、上記の法律とは、以下の２つである。
【００１５】
「民間事業者等が行う書面の保存等における情報通信の技術の利用に関する法律」
「民間事業者等が行う書面の保存等における情報通信の技術の利用に関する法律の施行に伴う関係法律の整備等に関する法律」
そこで、請求項５に記載の発明では、禁止手段は、読取設定として、読み取られた画像の完全性及び見読性が要求される電子文書モードが設定された場合に、搬送部の作動を禁止することを特徴とする。
【００１６】
これにより、請求項５に記載の発明では、読取設定として電子文書モードが設定された場合に、搬送部の作動が禁止されるので、画像読取部にて原稿を正確に読み取りことができないといった不具合が発生してしまうことを未然に防止することが可能となるとともに、電子文書として扱うような大切な原稿が損傷してしまうことを未然に防止することが可能となる。
【００１７】
また、原稿を読取部に対して移動させながら画像を読み取ると、前述したように、カラーにて画像を読み取ることができないおそれが高くなるとともに、原稿の損傷が発生するおそれがある。
【００１８】
そこで、請求項６に記載の発明では、禁止手段は、読取設定として、カラーにて画像を読み取ることが可能なカラー読取モードが設定された場合に、搬送部の作動を禁止することを特徴とする。
【００１９】
これにより、請求項６に記載の発明では、読取設定としてカラー読取モードが設定された場合に、搬送部の作動が禁止されるので、読取部にて原稿を正確に読み取りことができないといった不具合が発生してしまうことを未然に防止することが可能となるとともに、原稿の損傷を防止することが可能となる。
【００２０】
また、原稿を読取部に対して移動させながら画像を読み取ると、高い解像度で画像を読み取ることができないおそれがあるとともに、原稿の損傷が発生するおそれがある。
そこで、請求項７に記載の発明では、禁止手段は、画像読み取り時の読取設定として、所定解像度以上の読取解像度が設定された場合に、搬送部の作動を禁止することを特徴とする。
【００２１】
これにより、請求項７に記載の発明では、所定解像度以上の読取解像度が設定された場合に、搬送部の作動が禁止されるので、読取部にて原稿を正確に読み取りことができないといった不具合が発生してしまうことを未然に防止することが可能となるとともに、原稿の損傷を防止することが可能となる。
【００２２】
ところで、ＡＤＦに搬送される原稿の大きさが小さい等のときには、原稿の送りバランスが崩れて易いため、ＡＤＦによる搬送時に原稿が詰まってしまう等の不具合が発生し易い。
【００２３】
これに対して、請求項８に記載の発明では、禁止手段は、読取設定として、所定の原稿サイズが設定された場合に、搬送部の作動を禁止することを特徴としているので、ＡＤＦによる搬送時に原稿が詰まってしまう等の不具合が発生してしまうことを未然に防止することが可能となる。
【００２４】
また、請求項９に記載の発明では、載置部に載置された原稿の大きさを検出する検出手段を備えており、禁止手段は、検出手段により検出された原稿の大きさが所定の原稿サイズである場合に搬送部の作動を禁止することを特徴とする。
【００２５】
これにより、請求項９に記載の発明においても、ＡＤＦによる搬送時に原稿が詰まってしまう等の不具合が発生してしまうことを未然に防止することが可能となる。
また、請求項１０に記載の発明では、読取設定が入力される入力手段を備えており、禁止手段は、入力手段に入力された読取設定が所定の条件を満たす場合に、搬送部の作動を禁止することを特徴とするものである。
【発明を実施するための最良の形態】
【００２６】
本実施形態は、原稿を自動的に搬送しながら原稿に記載された画像を読み取る自動搬送読取機能（ＡＤＦ読取機能）、及び静止載置された原稿に記載された画像を読み取る静止原稿読取機能（フラットベッド方式の読み取り機能）を兼ね備えた画像読取装置（スキャナ）に本発明を適用したものである。以下、本発明の実施形態を図面と共に説明する。
【００２７】
１．画像読取装置の概略構成
図１は本実施形態に係る画像読取装置１００を上面側から見た外観斜視図であり、図２は図１のＡ−Ａ断面図である。
【００２８】
本実施形態に係る画像読取装置１００は、図１に示すように、画像読取装置１００を操作又は設定するための操作パネル２００が設けられており、この操作パネル２００には、設定内容やメッセージ等を表示する表示部２０１、及び各種機能やオプション設定等を使用者が選択するためのキーボタン２０２等が設けられている。
【００２９】
そして、画像読取装置１００の本体部１０１には、図２に示すように、静止原稿読取機能用の画像読取窓（以下、静止読取窓という。）１０２、及び自動搬送読取機能用の画像読取窓（以下、自動読取窓という。）１０３が設けられており、両読取窓１０２、１０３は、ガラスやアクリル等の透明なプラテン１０２Ａ、１０３Ａにて閉塞されている。
【００３０】
また、本体部１０１の上面側には、両読取窓１０２、１０３を覆う原稿カバー１０４が揺動可能に組み付けられており、静止読取窓１０２にて原稿読取を行う場合には、この原稿カバー１０４を手動操作にて上方側に開いて原稿を静止読取窓１０２に載置する。
【００３１】
一方、本体部１０１内には、原稿に照射されて反射した光を受光し、その受光した光に基づいて電気信号を発する画像撮像素子１０５が配設されており、画像読取装置１００は、画像撮像素子１０５を介して原稿に記載された文字等の画像を電気信号に変換して画像を読み取っていく。
【００３２】
因みに、本実施形態では、画像撮像素子１０５として、ＣＩＳ（Contact Image Sensor）を用いており、このＣＩＳ（画像撮像素子１０５）の長手方向は、両読取窓１０２、１０３の直下において、その移動方向と直交する方向（紙面と垂直な方向）に延びている。
【００３３】
また、画像撮像素子１０５は、キャリッジ１０６を介して本体部１０１の長手方向（図２の左右方向）に移動可能に本体部１０１に組み付けられており、画像撮像素子１０５は、自動搬送読取機能作動時には、自動読取窓１０３の直下に停止配置された状態で画像を読み取り、一方、静止原稿読取機能作動時には、静止読取窓１０２の直下で移動しながら画像を読み込んでいく。
【００３４】
なお、本実施形態では、キャリッジ１０６は駆動プーリ１０７及び従動プーリ１０８に掛けられたベルト１０９に連結されており、このベルト１０９をベルトモータ１１０にて回転させることにより、キャリッジ１０６（画像撮像素子１０５）は、ガイド軸１１１に案内されながら移動させられる。
【００３５】
また、原稿カバー１０４のうち静止読取窓１０２に対向する部位には、静止読取窓１０２に載置された原稿を静止読取窓１０２側に押さえる静止原稿押さえ１１２が配設されており、この静止原稿押さえ１１２は、原稿カバー１０４と一体的に本体部１０１（静止読取窓１０２）に対して揺動する。
【００３６】
そして、原稿カバー１０４のうち自動読取窓１０３に対応する部位及びその近傍には、読み取り用の原稿を自動読取窓１０３に搬送する搬送部を構成するＡＤＦ（オートドキュメントフィーダ）１５０が設けられている。
【００３７】
２．ＡＤＦの概略構成
図１に示す原稿トレイ１６５は、自動読み取り用の原稿を載置するための載置部であり、この原稿トレイ１６５に積層載置された原稿は、ＡＤＦ１５０にて自動読取窓１０３に搬送された後、排出トレイ１６６に排出載置される。
【００３８】
また、原稿トレイ１６５には、原稿の幅方向両端側に摺動可能に接触してＡＤＦ１５０により搬送される原稿を案内する一対のガイド１６５Ａが設けられており、これら一対のガイド１６５Ａは、原稿トレイ１６５の幅方向中央部に対して常に対称となるように連動する。
【００３９】
なお、幅方向とは、ＡＤＦ１５０により搬送される原稿の搬送方向及び原稿の厚み方向と直交する方向をいい、本実施形態に係る画像読取装置１００においては、前後方向（図１参照）と一致する。
【００４０】
そして、ＡＤＦ１５０は、図２に示すように、積層された原稿を１枚ずつ分離する分離機構１５１、及び分離機構１５１にて分離された原稿を自動読取窓１０３に搬送する搬送機構１５２等から構成されている。
【００４１】
分離機構１５１は、上下方向に積層された多数枚の原稿のうち積層方向上端に載置された原稿に搬送力を付与する分離ローラ１５３、分離ローラ１５３に対して対向配置されてシートに所定の搬送抵抗を付与する分離パッド１５４、及び原稿トレイ１６５に積層された原稿を分離ローラ１５３に送り出す吸入ローラ１５５等から構成されている。
【００４２】
そして、分離パッド押さえ１５６は、分離パッド１５４を分離ローラ１５３側に押圧する押圧手段であり、板バネにて構成されている。
また、搬送機構１５２は、分離機構１５１から分離搬送されてきた原稿の搬送方向を自動読取窓１０３側に向けて転向させながら搬送力を付与する給紙ローラ１５９、及び原稿を給紙ローラ１５９に押し付ける一対のピンチローラ１６０等から構成されている。
【００４３】
なお、原稿押さえ１６１は、ＡＤＦ１５０にて搬送されてきた原稿を自動読取窓１０３側に押さえるものである。排紙ローラ１６２は画像読み取りが終了した原稿を排出トレイ１６６に排出する排出手段である。ピンチローラ１６３は原稿を排紙ローラ１６２に押し付けるものである。
【００４４】
３．画像読取装置の電気的構成（図３参照）
画像読取装置１００の電気的構成を示すブロック図であり、ＣＰＵ、ＲＯＭ及びＲＡＭ等からなる制御装置２１０には、ガイド１６５Ａの位置を検出することにより原稿の大きさ（原稿の幅）を検出する原稿サイズセンサ２１１の出力、操作パネル２００を介して入力又は設定された値を示す信号、原稿が原稿トレイ１６５に載置されたか否かを検出する原稿センサ２１２の出力信号等が入力されている。そして、制御装置２００は、これらの出力信号に基づいて分離ローラ１５３等を回転駆動する電動モータ２１３の回転を制御する。
【００４５】
４．本実施形態に係るＡＤＦの特徴的作動
本実施形態に係るＡＤＦ１５０は、原稿の画像を読み取る際の読取設定が所定の条件を満たす場合に、制御装置２１０により作動が禁止されることを特徴としている。なお、以下、ＡＤＦ１５０の作動を禁止する機能をＡＤＦ禁止機能という。
【００４６】
４．１．読取設定
図４は、各読取設定条件（モード）に応じてＡＤＦ禁止機能を作動させるか否かを設定するための設定画面の一例であり、キーボタン２０２等を使用者が操作することにより、表示部２０１に表示される設定画面の一例を示すものである。
【００４７】
図４（ａ）は、読み取った原稿の電子情報を電子文書（ｅブンショ）として扱う電子文書モードに対してＡＤＦ禁止機能を作動させるか否かを設定するための設定画面である。
そして、この設定画面でＡＤＦ禁止機能（シヨウフカ）が選択されると、ＡＤＦ禁止機能が有効化され、以後、電子文書モードにて原稿読み取りを行う場合は、ＡＤＦによる読み取りが禁止される。
【００４８】
なお、電子文書モードとは、電子化された情報を原本と見なされるための処理（以下、この処理を電子文書処理という。）を行うモードであり、具体的には、読み取られた情報からハッシュ関数によってハッシュ値を求めるとともに、このハッシュ値と読み取られた電子データとを１組のデータとするものである。
【００４９】
因みに、ハッシュ関数は、１方向関数であるため、生成データから原文を推定することは不可能であるので、電子化されたデータか変更（改竄）されると、ハッシュ値が元のデータのハッシュ値と違う値となるため、ハッシュ値を調査すれば、電子化されたデータか変更（改竄）されものであるか否かを容易に判別することができる。
【００５０】
また、同様に、図４（ｂ）は、例えば６００ｄｐｉ以上の高画質にて画像を読み取る時（高画質モード時）において、ＡＤＦ禁止機能を選択（有効化）するための設定画面の一例であり、図４（ｃ）は、カラーにて画像を読み取る時（カラー読取モード時）において、ＡＤＦ禁止機能を選択（有効化）するための設定画面の一例であり、図４（ｄ）は、用紙幅が閾値以下の幅が狭い原稿を読み取る時（用紙幅モード時）において、原稿の大きさ（原稿幅）に基づいてＡＤＦ禁止機能を有効化するか否かを設定するための設定画面の一例である。
【００５１】
なお、図４（ｅ）は、図４（ｄ）での設定に基づき、原稿の大きさ（原稿幅）に基づいてＡＤＦ禁止機能を有効とする設定がされた場合に更に表示される設定画面であり、ＡＤＦ禁止機能を作動させるか否かの閾値となる原稿の大きさ（原稿幅）を設定するための設定画面の一例である。因みに、図４（ｅ）では、原稿の幅寸法が１５ｃｍ以下の場合にＡＤＦ禁止機能を作動させることを意味している。
【００５２】
４．２．読取作動
図５は、画像撮像素子１０５を作動させて画像読取作業を開始させるスキャンキー２０３（図１参照）が操作されたときに制御装置２１０にて実行される制御フローを示すフローチャートである。
【００５３】
なお、スキャンキー２０３が押下される前に、予め操作パネル２００を介して、使用者が電子文書モード、高画質モード、カラースキャンモード等の読取設定を事前に指定しているものとする。また、画像読取装置１００は、その読取設定に基づいた画像読取作業を実行する。
【００５４】
そして、スキャンキー２０３が操作されると、先ず、原稿センサ２１２の出力信号に基づいて原稿トレイ１６５に原稿が載置されているか否かが判定され（Ｓ１）、原稿トレイ１６５に原稿が載置されていると判定されたと判定された場合には（Ｓ１：ＹＥＳ）、読取設定として電子文書モードが選択されているか否かが判定される（Ｓ３）。
【００５５】
このとき、電子文書モードを指定した上でスキャンキー２０３が押下されており、読取設定として電子文書モードが選択されていると判定された場合には（Ｓ３：ＹＥＳ）、ＡＤＦ１５０による原稿読み取りが許可されているか否か、つまりＡＤＦ禁止機能が有効化されているか否かが判定される（Ｓ５）。
【００５６】
そして、図４（ａ）の設定画面にて電子文書モードの際にＡＤＦの使用を不可とする旨の設定がされ、ＡＤＦ読み取りが許可されていないと判定された場合には（Ｓ５：ＮＯ）、「ＡＤＦ１５０を用いた原稿読み取りが禁止されている」旨のメッセージ、及び「ＡＤＦ禁止機能を解除するか否か」の問い合わせメッセージが表示部２０１に表示されるとともに（Ｓ７）、ＡＤＦ禁止機能を解除するための操作が使用者によりされたか否かが判定される（Ｓ９）。
【００５７】
なお、本実施形態では、「ＡＤＦ禁止機能を解除するか否か」の問い合わせメッセージとともに、ＡＤＦ禁止機能を解除するための操作方法（例えば、「操作パネル２００のいずれかのキーボタン２０２を押下して下さい」等）が表示される。
【００５８】
そして、ＡＤＦ禁止機能を解除するための操作がされなかったと判定された場合には（Ｓ９：ＮＯ）、本制御フローが終了し、一方、ＡＤＦ禁止機能を解除するための操作がされたと判定された場合には（Ｓ９：ＹＥＳ）、電動モータ２１３が回転されてＡＤＦ１５０による原稿読み取りが実行される（Ｓ１１）。
【００５９】
また、図４（ａ）の設定画面にて電子文書モードの際にＡＤＦの使用を可能とする旨の設定がされ、Ｓ５にてＡＤＦ１５０による原稿読み取りが許可されていると判定された場合には（Ｓ５：ＹＥＳ）、電動モータ２１３が回転されてＡＤＦ１５０による原稿読み取りが実行される（Ｓ１１）。Ｓ１１の処理が実行された後は、その読み取られた電子情報に対して電子文書処理（ハッシュ値と読み取られた電子データとを１組のデータとする処理等）が実行されて本制御フローが終了する（Ｓ１３）。
【００６０】
また、原稿センサ２１２の出力信号に基づいて、Ｓ１にて原稿トレイ１６５に原稿が載置されていないと判定された場合には（Ｓ１：ＮＯ）、画像撮像素子１０５の出力信号に基づいて静止読取窓１０２（平面スキャナ部）に原稿が載置されているか否かが判定され（Ｓ１５）、静止読取窓１０２に原稿が載置されていると判定された場合には（Ｓ１５：ＹＥＳ）、静止読取窓１０２にて原稿の読み取りが開始される（Ｓ１７）。
【００６１】
次に、読取設定として電子文書モードが選択されているか否かが判定され（Ｓ１９）、電子文書モードを指定した上でスキャンキー２０３が押下されており、電子文書モードが選択されていると判定された場合には（Ｓ１９：ＹＥＳ）、その読み取られた電子情報に対して上述の電子文書処理が実行されて本制御フローが終了する（Ｓ１３）。
【００６２】
一方、電子文書モードが選択されていないと判定された場合には（Ｓ１９：ＮＯ）、電子文書処理が実行されることなく、通常の読み取り処理が実行されて本制御フローが終了する（Ｓ２１）。なお、通常の読み取り処理とは、例えば読み取られた情報を所定の記憶装置に保存する等の処理をいう。
【００６３】
また、Ｓ３にて、電子文書モードを指定せずにスキャンキー２０３が押下されており、読取設定として電子文書モードが選択されていないと判定された場合には（Ｓ３：ＮＯ）、高画質モード時においてＡＤＦ１５０による原稿読み取りが許可されているか否かが判定される（Ｓ２３）。
【００６４】
そして、図４（ｂ）の設定画面にて高画質モードの際にＡＤＦの使用を可能とする旨の設定がされ、高画質モード時においてＡＤＦ１５０による原稿読み取りが許可されている場合、つまり高画質モード時においてＡＤＦ禁止機能が有効化されていないと判定された場合には（Ｓ２３：ＹＥＳ）、Ｓ２５に移行する。
【００６５】
なお、低画質モード（例えば６００ｄｐｉ未満の読取解像度）が指定された上でスキャンキー２０３が押下された場合も、Ｓ２３の判断がＹＥＳと判断され、Ｓ２５に移行し、Ｓ２５では、カラー読取モード時においてＡＤＦ１５０による原稿読み取りが許可されているか否かが判定される。
【００６６】
そして、図４（ｃ）の設定画面にてカラー読取モードの際にＡＤＦの使用を可能とする旨の設定がされ、カラー読取モード時においてＡＤＦ１５０による原稿読み取りが許可されている場合、つまりカラー読取モード時においてＡＤＦ禁止機能が有効化されていないと判定された場合には（Ｓ２５：ＹＥＳ）、Ｓ２７に移行する。
【００６７】
なお、読取モノクロ読取モードが指定された上でスキャンキー２０３が押下された場合も、Ｓ２５の判断がＹＥＳと判断され、Ｓ２７に移行し、Ｓ２７では、原稿の大きさ（原稿幅）によらずＡＤＦ１５０による原稿読み取りが許可されているか否かが判定される。
【００６８】
このとき、図４（ｄ）の設定画面にて用紙幅モード時（用紙幅が閾値以下の幅が狭い原稿を読み取る時）にＡＤＦの使用を可能とする旨の設定がされ、原稿の大きさ（原稿幅）によらずＡＤＦ１５０による原稿読み取りが許可されていると判定された場合、つまり原稿の大きさ（原稿幅）によらずＡＤＦ禁止機能が有効化されていないと判定された場合に（Ｓ２７：ＹＥＳ）、電動モータ２１３が回転されてＡＤＦ１５０による原稿読み取りが実行された後（Ｓ２９）、通常の読み取り処理が実行されて本制御フローが終了する（Ｓ２１）。
【００６９】
また、Ｓ２３、Ｓ２５にてＡＤＦ１５０による原稿読み取りが許可されていない、つまりＡＤＦ禁止機能が有効化されていると判定された場合には（Ｓ２３：ＮＯ、Ｓ２５：ＮＯ）、Ｓ３３に移行する。更に、Ｓ２７にてＮＯと判定された場合は、原稿サイズセンサ２１１の検出信号に基づいて原稿トレイ１６５に載置されている原稿の大きさ（幅寸法）が、図４（ｅ）の設定画面にて設定された所定寸法（ここでは、１５ｃｍ）以下であるか否かが判定される（Ｓ３１）。
【００７０】
このとき、原稿トレイ１６５に載置されている原稿の大きさ（幅寸法）が、所定寸法以下でないと判定された場合には（Ｓ３１：ＮＯ）、電動モータ２１３が回転されてＡＤＦ１５０による原稿読み取りが実行された後（Ｓ２９）、通常の読み取り処理が実行されて本制御フローが終了する（Ｓ２１）。
【００７１】
一方、原稿トレイ１６５に載置されている原稿の大きさ（幅寸法）が、所定寸法以下であると判定された場合には（Ｓ３１：ＹＥＳ）、Ｓ３３に移行する。Ｓ３３では、Ｓ７と同様に「ＡＤＦ１５０を用いた原稿読み取りが禁止されている」旨のメッセージ、及び「ＡＤＦ禁止機能を解除するか否か」の問い合わせメッセージが表示部２０１に表示されるとともに（Ｓ３３）、ＡＤＦ禁止機能を解除するための操作が使用者によりされたか否かが判定される（Ｓ３５）。
【００７２】
そして、ＡＤＦ禁止機能を解除するための操作がされなかったと判定された場合には（Ｓ３５：ＮＯ）、本制御フローが終了し、一方、ＡＤＦ禁止機能を解除するための操作がされたと判定された場合には（Ｓ３５：ＹＥＳ）、電動モータ２１３が回転されてＡＤＦ１５０による原稿読み取りが実行された後（Ｓ３７）、通常の読み取り処理が実行されて本制御フローが終了する（Ｓ３９）。
【００７３】
なお、Ｓ１５にて静止読取窓１０２に原稿が載置されていないと判定された場合には（Ｓ１５：ＮＯ）、読み取るべき原稿がいずれにも載置されていない旨のメッセージが表示部２０１に表示された後（Ｓ４１）、本制御フローが終了する。
【００７４】
５．本実施形態に係る画像読取装置の特徴
「背景技術」の欄で述べたように、ＡＤＦ１５０にて自動読取窓１０３に搬送されてきた原稿は、自動読取窓１０３に接触しながら移動するので、ＡＤＦ１５０により原稿を搬送する際に原稿が損傷し易く、静止読取窓１０２による画像読み取り（フラットベッドによる画像読み取り）と比べ、自動読取窓１０３にて原稿を正確に読み取りことができないおそれが高い。
【００７５】
これに対して、本実施形態では、読取設定が所定の条件を満たす場合に、ＡＤＦ１５０の作動が禁止されるので、ＡＤＦ１５０により原稿を搬送する際に原稿が損傷してしまう、又は自動読取窓１０３にて原稿を正確に読み取りことができない、といった不具合が発生してしまうことを未然に防止することが可能となる。
【００７６】
なお、ＡＤＦ禁止機能によりＡＤＦ１５０による原稿読み取りが禁止された場合には、静止読取窓１０２による画像読み取り（フラットベッドによる画像読み取り）を行うことが望ましい。よって、その旨を使用者に報知する構成を設けても良い。
【００７７】
また、本実施形態では、禁止手段によるＡＤＦ１５０の作動禁止状態を解除する解除手段をなすＳ９、Ｓ３５を備えているので、ＡＤＦ１５０の作動が禁止されている場合であっても、使用者の判断の下でＡＤＦ１５０を用いた原稿の読み取りを行うことができる。
【００７８】
また、本実施形態では、ＡＤＦ禁止機能が作動した場合に、その旨を使用者に対して報知するので（Ｓ７、Ｓ３３）、ＡＤＦ１５０に不具合が発生したといった誤認識を使用者が抱いてしまうことを未然に防止して、画像読取装置１００（ＡＤＦ１５０）に対する使用者の不信感を払拭することができる。
【００７９】
また、本実施形態では、ＡＤＦ禁止機能を有効とするか否かを使用者が選択することができるので、使用者は、自らの意志により、禁止手段の機能を有効とするか否かを選択することができる。この構成によれば、例えば、電子文書モードで読み取る原稿やカラー読取モードで読み取る原稿は、機密文書の原本や写真など大切な原稿であることが多いので、当該モードのときは、ＡＤＦの使用を禁止して原稿の損傷を未然に防止したいという使用者のニーズに適切に対応できる。
【００８０】
また、本実施形態では、読取設定として電子文書モードが設定された場合にＡＤＦ１５０の作動を禁止するので、自動読取窓１０３にて原稿を正確に読み取りことができないといった不具合が発生してしまうことを未然に防止することが可能となるとともに、電子文書として扱うような大切な原稿が損傷してしまうことを未然に防止することが可能となる。
【００８１】
また、原稿を自動読取窓１０３に対して移動させながら画像を読み取ると、前述したように、カラーにて画像を読み取ることができないおそれが高くなるとともに、原稿の損傷が発生するおそれがある。
【００８２】
これに対して、本実施形態では、読取設定としてカラー読取モードが設定された場合に、ＡＤＦ１５０の作動が禁止されるので、自動読取窓１０３にて原稿を正確に読み取りことができないといった不具合が発生してしまうことを未然に防止することが可能となるとともに、原稿の損傷を防止することが可能となる。
【００８３】
また、原稿を自動読取窓１０３に対して移動させながら画像を読み取ると、高い解像度で画像を読み取ることができないおそれがあるとともに、原稿の損傷が発生するおそれがある。
【００８４】
これに対して、本実施形態では、所定解像度以上の読取解像度が設定された場合に、ＡＤＦ１５０の作動が禁止されるので、自動読取窓１０３にて原稿を正確に読み取りことができないといった不具合が発生してしまうことを未然に防止することが可能となるとともに、原稿の損傷を防止することが可能となる。
【００８５】
ところで、ＡＤＦ１５０に搬送される原稿の大きさが小さい等のときには、原稿の送りバランスが崩れ易いため、ＡＤＦ１５０による搬送時に原稿が詰まってしまう等の不具合が発生し易い。
【００８６】
これに対して、本実施形態では、ＡＤＦ禁止機能を機能させる読取設定として原稿サイズが設定可能であるので、ＡＤＦ１５０による搬送時に原稿が詰まってしまう等の不具合が発生してしまうことを未然に防止することが可能となる。
【００８７】
また、本実施形態では、原稿トレイ１６５に載置された原稿の大きさを検出する原稿サイズセンサ２１１を有しているので、ＡＤＦ１５０による搬送時に原稿が詰まってしまう等の不具合が発生してしまうことを未然に防止することが可能となる。
【００８８】
６．実施形態と発明特定事項との対応関係
本実施形態では、原稿トレイ１６５が特許請求の範囲に記載された載置部に相当し、自動読取窓１０３が特許請求の範囲に記載された読取部に相当し、ＡＤＦ１５０が特許請求の範囲に記載された搬送部に相当し、Ｓ５、Ｓ２３、Ｓ２５、Ｓ２７、Ｓ３１が特許請求の範囲に記載された禁止手段に相当する。
【００８９】
また、Ｓ７、Ｓ３３が特許請求の範囲に記載された報知手段に相当し、Ｓ９、Ｓ３７が特許請求の範囲に記載された解除手段に相当し、原稿サイズセンサ２１１が特許請求の範囲に記載された検出手段に相当し、操作パネル２００が特許請求の範囲に記載された入力手段に相当する。
【００９０】
（その他の実施形態）
上述の実施形態では、ＡＤＦ禁止機能を作動させる読取設定の項目を使用者が操作パネル２００を介して選択することができたが、本発明はこれに限定されるものではなく、例えば、ＡＤＦ禁止機能を作動させる読取設定の項目が予め決められた項目又は内容として画像読取装置１００に登録されていてもよい。
【００９１】
また、上述の実施形態では、ＡＤＦ禁止機能を有効化するか否かを使用者が操作パネル２００を介して選択可能であったが、本発明はこれに限定されるものではない。
また、上述の実施形態では、ＡＤＦ禁止機能を作動させる読取設定の項目として、電子文書モード、高画質モード、カラー読取モードであるか否か、及び原稿サイズが所定サイズ以上であるか否かが示されていたが、本発明はこれに限定されるものではない。
【００９２】
また、上述の実施形態では、ＡＤＦ禁止機能を実行させる原稿サイズを、原稿サイズセンサ２１１の検出結果による原稿幅に基づいて判定したが、本発明はこれに限定されるものではなく、例えば操作パネル２００を介して読取設定として使用者が設定されたＡ４やＢ５等の原稿サイズ、すなわち、使用者から提供される原稿サイズの情報に基づいてＡＤＦ禁止機能を実行させてもよい。
【００９３】
また、本発明は、特許請求の範囲に記載された発明の趣旨に合致するものであればよく、上述の実施形態に限定されるものではない。
【図面の簡単な説明】
【００９４】
【図１】本発明の実施形態に係る画像読取装置１００を上面側から見た外観斜視図である。
【図２】図１のＡ−Ａ断面図である。
【図３】本発明の実施形態に係るＡＤＦ装置の電気的構成を示すブロック図である。
【図４】ＡＤＦ１５０の作動を禁止する条件を設定するための設定画面の一例を示すものである。
【図５】スキャンキー２０３が操作されたときに制御装置２１０にて実行される制御フローを示すフローチャートである。
【符号の説明】
【００９５】
１００…画像読取装置、１０１…本体部、１０２…静止読取窓、
１０２Ａ…プラテン、１０３…自動読取窓、１０４…原稿カバー、
１０５…画像撮像素子、１０６…キャリッジ、１０９…ベルト、
１１０…ベルトモータ、１１１…ガイド軸、１１２…静止原稿押さえ、
１５１…分離機構、１５２…搬送機構、１５３…分離ローラ、１５４…分離パッド、
１５６…分離パッド押さえ、１５９…給紙ローラ、１６１…原稿押さえ、
１６２…排紙ローラ、１６３…ピンチローラ、１６５…原稿トレイ、
１６５Ａ…ガイド、１６６…排出トレイ、２００…制御装置、２００…操作パネル、
２０１…表示部、２０２…キーボタン、２０３…スキャンキー、２１０…制御装置、
２１１…原稿サイズセンサ、２１２…原稿センサ、２１３…電動モータ。
【図１】
2008187473.tif 000003
【図２】
2008187473.tif 000004
【図３】
2008187473.tif 000005
【図４】
2008187473.tif 000006
【図５】
2008187473.tif 000007